(57)【要約】【課題】本発明は内設された偏光板，液晶パネル等の発熱要素を冷却する冷却機構を設けた投写装置に関し、防塵を図りつつ、投写レンズのスライド範囲を広くすることを課題とする。【解決手段】　投写レンズ５７に防塵用板状部材８０を設け、部材８０は、投写レンズ５７と長孔７８（開口）との間に形成される間隙を塞ぐ。部材８０は、その略中央部分に装着孔８１が形成されており、投写レンズ５７はこの装着孔８１を貫通している。投写レンズ５７が矢印Ａ１，Ａ２方向に移動するのに伴い、防塵用板状部材８０も矢印Ａ１，Ａ２方向にスライドする。【選択図】　図８
2004139110.tif 000002
【特許請求の範囲】
【請求項１】
　光源から出射した光を色分離し、該色分離された光に画像信号を重畳した上で色合成し、該色合成された光を投写レンズから投写し画像を生成する構成とされると共に、
　前記投写レンズを筐体に形成された開口内で移動させることにより、投写画像位置を可変可能な構成とした投写装置において、
　前記投写レンズと前記開口との間に形成される間隙を塞ぐ防塵部材を前記投写レンズの移動と共に前記筐体内でスライド可能な構成で配設し、
　かつ、該防塵部材の前記投写レンズの移動方向における形状が、前記筐体の内壁に対し内側に向け湾曲した形状とされていることを特徴とする投写装置。
【請求項２】
　請求項１記載の投写装置において、
　前記防塵部材の少なくとも前記スライド方向の両先端近傍の所定範囲は、可撓性を有するよう構成されていることを特徴とする投写装置。
【発明の詳細な説明】
【技術分野】
【０００１】
　本発明は投写装置に係り、特に内設された偏光板，液晶パネル等の発熱要素を冷却する冷却機構を設けた投写装置に関する。
【０００２】
　例えば、液晶プロジェクタ等の投写装置は、その内部に折り曲げミラー，色分離ダイクロイックミラー，液晶パネル，色合成ダイクロイックミラー（プリズム）等の光学系が配設されている。この液晶パネル及びその近傍にある偏光板は、光を吸収し発熱するため、これを冷却する必要がある。このため、液晶パネル及び偏光板等の発熱要素を効率よく冷却する必要がある。
【０００３】
　また、液晶プロジェクタ等の投写装置は、会社内における会議やプレゼンテーションにおいて、また家庭内における画像出力装置（テレビ，ゲーム等）として用いられる。このため、投写装置から発生する騒音は、極力小さくする必要がある。
【０００４】
　更に、投写装置は、上記のように精密な光学系が内設された構成であるため、投写画像の品質向上及び装置自体の信頼性を向上させる面より、装置内部に塵埃が侵入しないよう構成する必要もある。
【背景技術】
【０００５】
　図１及び図２は、従来の一例である投写装置１０を示している。図１は投写装置１０の横断面図であり、図２は投写装置１０の吸気ファン２９〜３１の近傍を拡大して示す図である。
【０００６】
　投写装置１０は、図１に示すように、大略すると内部ケース１１，外部ケース１２，光源１３，液晶パネルユニット２４〜２６，投写レンズ２７，吸気ファン２９〜３１，及び排気ファン３２等を有した構成とされている。
【０００７】
　内部ケース１１は外部ケース１２の内部に配設されており、内部ケース１１と外部ケース１２との間には空間部２８が形成されている。この内部ケース１１の内部には、全反射ミラー１４〜１６、色分離ダイクロイックミラー１７，１８、色合成ダイクロイックミラー１９，２３、集光レンズ２１〜２３、及び液晶パネルユニット２４〜２６等の光学系が配設されている。
【０００８】
　上記光学系を有する投写装置１０は、次のように画像生成処理を行う。即ち、光源１３から出射した光は、上記した光学系を通過す過程において色分離ダイクロイックミラー１７，１８により例えば三原色に色分離される。そして、この色分離された光は、液晶パネルユニット２４〜２６を通過することにより各色毎ニ画像信号を重畳する処理（画像変調処理）が行われる。
【０００９】
　続いて、画像変調処理がされた光は、色合成ダイクロイックミラー１９，２３において色合成され、この色合成された光は投写レンズ２７からスクリーン（図示せず）に向け投写される。これにより、スクリーン上に所定の画像が投写される。
【００１０】
　ところで、前記の液晶パネルユニット２４〜２６は、液晶パネルとこれを挟むよう配設された一対の偏光板とにより構成されている。この液晶パネル及び偏光板は、光を吸収して発熱する。とりわけ、通常偏光板としては有機物の偏光フィルムを用いているため、７０℃以上に加熱されると劣化が生じる。
【００１１】
　このため、図２に示されるように、内部ケース１１の液晶パネルユニット２４〜２６と対向する下面には、吸気ファン２９〜３１が配設されている。この吸気ファン２９〜３１が生成した冷却風は、液晶パネルユニット２４〜２６の偏光板に吹き付けられるよう構成されており、よって各偏光板は空冷される構成となっている。
【００１２】
　また、液晶パネルユニット２４〜２６の偏光板に吹き付けられることにより昇温した冷却風は、内部ケース１１の天板部に形成された排気口３３〜３５より外部ケース１２の内部に排出され、更に外部ケース１２に設けられた排気ファン３２により外部排気口３６から装置外部に排気される。
【００１３】
　また、前記したように内部ケース１１と外部ケース１２との間には空間部２８が形成されるが、この空間部２８には内部ケース１１以外にも種々の機器３９ａが配設されている。この機器３９ａの中には発熱するものがあり、また光源１３も発熱する。
【００１４】
　このため、このように発熱する光源１３及び機器３９ａには、内部冷却ファン３９が設けられ、前記した液晶パネルユニット２４〜２６と同様に冷却が行われる構成とされている。
【００１５】
　尚、図２に示した構成では、液晶パネルユニット２４〜２６の配設数に対応させて３個の吸気ファン２９〜３１を配設した構成としたが、図３に示すように、導風板ダクト３８を用いることにより、１個の吸気ファン３７により全ての液晶パネルユニット２４〜２６を冷却するものも提供されている。
【発明の開示】
【発明が解決しようとする課題】
【００１６】
　上記のように、液晶パネルユニット２４〜２６と対向する位置に吸気ファン２９〜３１を設けて偏光板及び液晶パネルを空冷する構成とすることにより、熱による偏光板及び液晶パネルの劣化を防止でき、投写装置１０の信頼性を向上させることができる。
【００１７】
　しかるに、各吸気ファン２９〜３１はファンを回転させることにより冷却風を生成する構成であるため、ファンの回転時に必然的に風切り音が発生する。この風切り音は、投写装置１０を使用する際の騒音となる。図２に示す構成では、３個の吸気ファン２９〜３１が夫々風切り音を発生するために騒音が増大する。また、図３に示す構成では、吸気ファン３７は１個であるが、導風板ダクト３８の内部で導風板が風を切ることで騒音が増大する。
【００１８】
　これらの騒音は内部ケース１１の内部を抜け、内部ケース１１に形成された排気口３３〜３５から内部ケース１１と外部ケース１２との間の空間部２８に伝わる。その後、この騒音は外部ケース１２の内壁で反射しながら外部排気口３６へと伝わり、外部排気口３６から投写装置１０の外部に漏れ出すことになる。
【００１９】
　図４は、従来の投写装置１０において発生する騒音値を示す図である。同図は、投写装置１０内に配設された各ファンの名称，個数，使用，印加電圧，及び騒音値を示している。この騒音値は、外部排気口３６に測定器を設けて測定した値である。
【００２０】
　同図に示すように、３個の吸気ファン２９〜３１のみを駆動した時に発生する騒音値は４０．０ｄＢであり、排気ファン３２のみを駆動した時に発生する騒音値は４１．８ｄＢであり、３個の内部冷却ファン３９のみを駆動した時に発生する騒音値は３９．５ｄＢであった。
【００２１】
　また、吸気ファン２９〜３１，排気ファン３２，及び内部冷却ファン３９の全てを駆動させた場合、騒音値は４６．１ｄＢと大きな値となる。このため、従来の投写装置１０では騒音が大きく、使用性が悪いという問題点があった。
【００２２】
　また、投写レンズの部分にもうけてある従来の防塵機構では、後述するように、投写レンズをスライドできる範囲が短いものであるという問題点がある。
【００２３】
　本発明は上記の点に鑑みてなされたものであり、防塵を図りつつ投写レンズをスライドできる範囲を広くした投写装置を提供することを目的とする。
【課題を解決するための手段】
【００２４】
　上記課題を解決するために本発明では、次に述べる各手段を講じたことを特徴とするものである。
【００２５】
　請求項１記載の発明は、
　光源から出射した光を色分離し、該色分離された光に画像信号を重畳した上で色合成し、該色合成された光を投写レンズから投写し画像を生成する構成とされると共に、
　前記投写レンズを筐体に形成された開口内で移動させることにより、投写画像位置を可変可能な構成とした投写装置において、
　前記投写レンズと前記開口との間に形成される間隙を塞ぐ防塵部材を前記投写レンズの移動と共に前記筐体内でスライド可能な構成で配設し、
　かつ、該防塵部材の前記投写レンズの移動方向における形状が、前記筐体の内壁に対し内側に向け湾曲した形状とされていることを特徴とするものである。
【００２６】
　また、請求項２記載の発明は、
　請求項１記載の投写装置において、
　前記防塵部材の少なくとも前記スライド方向の両先端近傍の所定範囲は、可撓性を有するよう構成されていることを特徴とするものである。
【００２７】
　上記した各手段は、次のように作用する。
【００２８】
　請求項１記載の発明によれば、
　投写レンズと開口との間隙を塞ぐ防塵部材の投写レンズの移動方向における形状が、筐体の内壁に対し内側に向け湾曲した形状としたことにより、投写レンズを移動させ、これに伴い防塵部材が変位しても、防塵部材が筐体の内壁に当接することを防止でき、防塵部材の移動範囲、即ち投写レンズの移動範囲を広く取ることが可能となる。
【００２９】
　また、請求項２記載の発明によれば、
　防塵部材の少なくともスライド方向の両先端近傍の所定範囲が可撓性を有する構成としたことにより、投写レンズの移動に伴い防塵部材の先端部が筐体の内壁に当接しても、防塵部材は可撓変形することにより投写レンズの移動を許容する。よって、小さな筐体であっても投写レンズの移動範囲を広く取ることができるため、投写装置の小型化を図ることができる。
【発明の効果】
【００３０】
　本発明によれば、次に述べる種々の効果を実現することができる。
【００３１】
　請求項１記載の発明によれば、投写レンズを移動させ、これに伴い防塵部材が変位しても、防塵部材が筐体の内壁に当接することを防止できるため、投写レンズの移動範囲を広く取ることが可能となる。
【００３２】
　また、請求項２記載の発明によれば、小さな筐体であっても投写レンズの移動範囲を広く取ることができるため、投写装置の小型化を図ることができる。
【発明を実施するための最良の形態】
【００３３】
　次に、本発明の実施の形態について図面と共に説明する。
【００３４】
　図５乃至図９は、本発明の第１実施例である投写装置４０Ａを示している。図５は投写装置４０Ａの横断面図であり、図６は投写装置４０Ａの縦断面図であり、図７は投写装置４０Ａの外観図であり、図８及び図９は防塵機構６７を示す要部拡大図である。
【００３５】
　投写装置４０Ａは、図５及び図６に示すように、大略すると内部ケース４１，外部ケース４２，光源４３，液晶パネルユニット５４〜５６，投写レンズ５７，吸気ファン５９〜６１，排気ファン６２Ａ，防塵機構６７，及び遮音板９５Ａ等を有した構成とされている。
【００３６】
　第１の筐体となる内部ケース４１は、第２の筐体となる外部ケース４２の内部に固定されている。内部ケース４１は外部ケース４２よりも小さいため、よって内部ケース４１と外部ケース４２との間には空間部５８が形成されている。
【００３７】
　内部ケース４１の内部には、光源４３、全反射ミラー４４〜４６、色分離ダイクロイックミラー４７，４８、色合成ダイクロイックミラー４９，５３、集光レンズ５１〜５３、及び液晶パネルユニット５４〜５６，投写レンズ５７等の光学系が配設されている。
【００３８】
　光源４３は例えばメタルハライドランプであり、リフレクター７９により一方にのみ平行な光を出射する構成とされている。この光源４３は、電源ユニット７２から電源供給されると共に、ランプ安定器７３により一定の光量の光を照射するよう制御されている。この電源ユニット７２及びランプ安定器７３は、内部ケース４１と外部ケース４２との間に形成された空間部５８内に配設されている。
【００３９】
　また、光源４３，電源ユニット７２，及びランプ安定器７３はそれぞれ発熱するものであるため（電源ユニット７２及びランプ安定器７３は第２の発熱要素となる）、光源４３には内部冷却ファン７４が、電源ユニット７２には内部冷却ファン７５が、ランプ安定器７３には内部冷却ファン７６が配設されている。この各内部冷却ファン７４〜７６は、５０mm角の大きさで印加電圧が１２Ｖの軸流ファン２台と５０mm角の大きさで印加電圧が１２Ｖのシロッコファン１台を用いている。
【００４０】
　また、全反射ミラー４４〜４６は図５に示す位置に配設されており、入射する光の進行方向を９０°変換させる。また、色分離ダイクロイックミラー４７，４８は、光源４３から出射された光をそれぞれ異なる波長帯域の三原色（Ｒ，Ｇ，Ｂ）に分離する機能を奏する。これにより、各液晶パネルユニット５４〜５６には異なる色の光（Ｒ，Ｇ，Ｂ）が集光レンズ５１〜５３で集光された上で入射する。
【００４１】
　液晶パネルユニット５４〜５６は、液晶パネル７０とこれを挟むよう配設された一対の偏光板６８，６９とにより構成されている。この液晶パネルユニット５４〜５６の液晶パネル７０は、図示しない画像処理回路から画像信号が供給される。液晶パネル７０は、この画像信号により動作し、色分離された各原色光に対し画像情報を重畳させる。
【００４２】
　色合成ダイクロイックミラー４９，５３は、液晶パネルユニット５４〜５６で画像信号が重畳された各原色光を合成し、これによりカラー画像が生成される。このカラー画像は、投写レンズ５７によりスクリーン（図示せず）に向け投写される。これにより、スクリーン上に所定の画像が投写される。
【００４３】
　ところで、本実施例に係る投写装置４０Ａは、投写レンズ５７が外部ケース４２に対し上下方向（図６及び図７に矢印Ａ１，Ａ２で示す方向）に所定範囲にわたり移動できるよう構成されている。この構成とすることにより、スクリーン位置に応じて容易に投写位置を位置決めすることができ、使用性の向上を図ることができる。
【００４４】
　このため、投写レンズ５７は図示しない揺動機構により外部ケース４２に対し上下方向に移動可能な構成とされており、また外部ケース４２には図中矢印Ａ１，Ａ２方向に長く延在する投写レンズ５７を挿通する長孔７８が形成されている。しかるに、単に長孔７８から投写レンズ５７が突き出た構成とすると、長孔７８と投写レンズ５７との間隙部分から塵埃が装置内部に侵入してしまう。防塵機構６７は、この長孔７８と投写レンズ５７との間隙部から塵埃が侵入するのを防止する機能を奏するものである。
【００４５】
　図１０及び図１１は、従来から用いられていたこの種の防塵機構を示している。図１０に示す防塵機構は、長孔７８と投写レンズ５７との間隙部を埋めるスポンジ状部材８７を配設した構成とされている。しかるに、この構成では投写レンズ５７が上下に移動した場合、少しの移動量しか対応できないため実用的でないという問題点がある。
【００４６】
　また、図１１に示す防塵機構は、投写レンズ５７の直径より僅かに大きい装着孔８１を設けたスライド可能な第１の平板状部材８９と、バネ９２により一方向に引っ張られているスライド可能な第２の平板状部材９０と、これらをスライドガイドすると共に長孔９１が形成された第３の平板状部材８８とで構成されている。
【００４７】
　この防塵機構は、投写レンズ５７が上方（矢印Ａ１方向）にスライドすると、第１の平板状部材８９が投写レンズ５７と一緒に上方にスライドし、そして投写レンズ５７の上面が第２の平板状部材９０の下側端面に突き当たると、第１の平板状部材８９と第２の平板状部材９０が同時に上方にスライドし、各平板状部材８９，９０が外部ケース４２の内壁に当接するまでスライドは可能となる。
【００４８】
　即ち、図１１に示す防塵機構では、投写レンズ５７の移動範囲は外部ケース４２の大きさに制約されてしまい、各平板状部材８９，９０が外部ケース４２の内壁に当接するまでの短い範囲でしか投写レンズ５７をスライドすることができないという問題点がある。
【００４９】
　図８は、本実施例で用いてる防塵機構６７を拡大して示す構成図である。本実施例では投写レンズ５７に防塵部材となる防塵用板状部材８０を設け、この防塵用板状部材８０により投写レンズ５７と長孔７８（開口）との間に形成される間隙を塞ぐ構成としている。
【００５０】
　この防塵用板状部材８０は、その略中央部分に装着孔８１が形成されており、投写レンズ５７はこの装着孔８１を貫通した構成とされている。よって、投写レンズ５７が図中矢印Ａ１，Ａ２方向に移動するのに伴い、防塵用板状部材８０も矢印Ａ１，Ａ２方向にスライド可能な構成となっている。
【００５１】
　また、防塵用板状部材８０は、その投写レンズ５７の移動方向における形状が、外部ケース４１の内壁に対し内側に向け湾曲した形状とされている。この構成とすることにより、投写レンズ５７を移動させた際、この移動に伴い防塵用板状部材８０が外部ケース４１の内壁と当接することを防止でき、防塵用板状部材８０の移動範囲、即ち投写レンズ５７の移動範囲を広く取ることが可能となる。
【００５２】
　更に、本実施例では、防塵用板状部材８０の少なくとも前記スライド方向の両先端近傍に所定範囲にわたり可撓部８２を形成している。この可撓部８２は、例えば容易に可撓しうるフィルム状部材により構成されている。
【００５３】
　このように、防塵用板状部材８０の先端近傍に可撓部８２を設けることにより、投写レンズ５７の移動に伴い可撓部８２が外部ケース４１の内壁に当接しても、可撓部８２は可撓変形することにより投写レンズ５７の移動を許容する。よって、小さな外部ケース４１（即ち、低背化された外部ケース４１）であっても、投写レンズ５７の移動範囲を広く取ることができるため、投写装置４０Ａの小型化を図ることができる。
【００５４】
　図９は、図８に示した防塵機構６７の変形例である。図９（Ａ）に示す構成は、外部ケース４１に防塵用板状部材８０の移動を案内する鉤部８４を有したガイド部材８３を設けたものである。
【００５５】
　この構成とすることにより、防塵用板状部材８０のスライド動作を円滑かつ確実に行うことができる。また、本変形例は、特に可撓部８２を広い範囲に設けた場合において有効である。
【００５６】
　また、図９（Ｂ）に示す構成は、投写レンズ５７が挿通される装着孔８１の近傍に補強部８５を設けたことを特徴とするものである。投写レンズ５７を移動させる時には装着孔８１には強い力が作用するため、この部位を補強しないと経時的に防塵用板状部材８０の装着孔８１に劣化が発生することが考えられる。装着孔８１に劣化（例えば、亀裂等）が発生すると、この劣化部位から装置内に塵埃が侵入し易くなる。
【００５７】
　しかるに、本変形例のように装着孔８１の近傍に補強部８５を設けることにより、経時的に装着孔８１の近傍に劣化が生じることを防止でき、よって塵埃の侵入を確実に防止することができる。
【００５８】
　また、図９（Ｃ）に示す構成は、図９（Ｂ）に示す構成において、更に装着孔８１の近傍に弾性部材８６を設けたものである。この弾性部材８６はリング形状をしており、装着孔８１の周りを囲繞するよう配設されている。
【００５９】
　投写レンズ５７は、装着孔８１に装着された際にこの弾性部材８６と密着するよう構成されている。よって、投写レンズ５７と装着孔８１との間に形成される間隙は弾性部材８６により塞がれるため、装置内に塵埃が侵入することを確実に防止することができる。
【００６０】
　ここで、再び図５乃至図７に戻り、投写装置４０Ａの構成説明を続ける。
【００６１】
　前記したように、内部ケース４１内に設けられる各液晶パネルユニット５４〜５６には、それぞれ液晶パネル７０及び偏光板６８，６９が配設されている。この液晶パネル７０及び偏光板６８，６９は、光源４３からの光を吸収して発熱する（液晶パネルユニット５４〜５６は第１の発熱要素となる）。とりわけ、偏光板６８，６９は通常有機物の偏光フィルムを用いているため７０℃以上に加熱されると劣化が生じ、このため冷却を行う必要があることは前述した通りである。
【００６２】
　このため、図６に示されるように、内部ケース４１の液晶パネルユニット５４〜５６と対向する下面には、吸気ファン５９〜６１（第１のファンを構成する）が配設されている。この吸気ファン５９〜６１が生成した冷却風は、液晶パネルユニット５４〜５６の液晶パネル７０及び偏光板６８，６９に吹き付けられ冷却されるよう構成されている。
【００６３】
　また、液晶パネルユニット５４〜５６に吹き付けられることにより昇温した冷却風は、内部ケース４１の内部天板部７１に形成された排気口６３〜６５より外部ケース４２の内部に排出され、更に外部ケース４２に設けられた排気ファン６２Ａ（第２のファンを構成する）により外部排気口６６Ａから装置外部に排気される。
【００６４】
　ここで、投写装置４０Ａで発生する騒音に注目し、以下説明する。
【００６５】
　前記したように、吸気ファン５９〜６１，排気ファン６２Ａ，及び内部冷却ファン７４〜７６は、それぞれファンを回転させることにより冷却風を生成する構成であるため、ファンの回転時に必然的に風切り音が発生し、この風切り音は投写装置４０Ａを使用する際の騒音となる。
【００６６】
　これらの騒音は内部ケース４１の内部を抜け、内部ケース４１に形成された排気口６３〜６５から内部ケース４１と外部ケース４２との間の空間部５８に伝わり、その後に外部排気口６６Ａから投写装置４０Ａの外部に漏れ出すことになる。本発明者が投写装置４０Ａの騒音測定を行ったところ、騒音が最大になるのは排気ファン６２Ａ（外部排気口６６Ａ）の正面であった。
【００６７】
　また、本発明者が吸気ファン５９〜６１で発生した騒音の伝搬経路を測定したところ、吸気ファン５９〜６１に起因の騒音は、排気口６３〜６５から空間部５８に出た後、直接外部排気口６６Ａに向かうものと、この空間部５８内で反射しながら外部排気口６６Ａに向かうものとがあることがわかった。
【００６８】
　この内、空間部５８内で反射しながら外部排気口６６Ａに向かう騒音は、反射時において減衰される装置外部に漏れ出す騒音（以下、この騒音を外部漏洩騒音というものとする）に大きく影響することはない。これに対し、排気口６３〜６５から直接外部排気口６６Ａに向かう騒音は、減衰がされないため外部漏洩騒音に大きく影響する。
【００６９】
　そこで本実施例では、各排気口６３〜６５から外部排気口６６Ａに直接向かう騒音の伝達経路途中に、換言すれば各排気口６３〜６５と外部排気口６６Ａとを結ぶ経路上（この経路を、図５に二点鎖線で示す）に、遮音部材となる遮音板９５Ａを配設した構成とした。具体的には、本実施例では各排気口６３〜６５と外部排気口６６Ａとを結ぶ直線上に遮音板９５Ａを配設した構成としている。尚、明確化の為に、図において遮音板９５Ａには梨地を付している。
【００７０】
　遮音板９５Ａは下部ケース４１の内部天板部７１上に配設されており、またその配設位置は内部天板部７１の投写レンズ５７が配設された側の側辺に沿って直線状に配設されている。また、遮音板９５Ａの幅寸法（図５における上下方向の長さ）は外部ケース４２の全幅と略等しい長さとされている。従って、遮音板９５Ａの幅寸法は、内部ケース４１の全幅よりも長く設定されている。
【００７１】
　更に、この遮音板９５Ａは、その下端部７９Ａが内部天板部７１に接合され、また上端部９８Ａが外部ケース４２の内壁部に接合された構成とされている。従って、内部ケース４１と外部ケース４２との間に形成された区迂遠部５８は、遮音板９５Ａにより画成された構成となる。
【００７２】
　上記構成とすることにより、排気口６３〜６５から直接外部排気口６６Ａに向かう騒音（図５に二点鎖線で示す方向に進む騒音）は、遮音板９５Ａで反射されるため、直接外部排気口６６Ａに進行することはなくなる。よって、遮音板９５Ａで反射された騒音は、空間部５８内で反射しながら外部排気口６６Ａに向かうこととなり、この反射時において減衰される。これにより、外部漏洩騒音を低減することができ、静かな投写装置４０Ａを実現することができる。
【００７３】
　図１２は、本実施例に係る投写装置４０Ａにおいて発生する騒音値を示す図である。尚、図１２における測定項目及び測定方法は、先に図４に示したものと同一である。
【００７４】
　同図に示されるように、本実施例に係る投写装置４０Ａでは、３個の吸気ファン５９〜６１のみを駆動した時に発生する騒音値は３８．６ｄＢであり、排気ファン６２Ａのみを駆動した時に発生する騒音値は４１．８ｄＢであり、３個の内部冷却ファン７４〜７６のみを駆動した時に発生する騒音値は３９．５ｄＢであった。また、吸気ファン５９〜６１，排気ファン６２Ａ，及び内部冷却ファン７４〜７６の全てを駆動させた場合の騒音値（以下、この騒音値を外部漏洩騒音値という）は４４．７ｄＢであった。
【００７５】
　この図１２に示す本実施例に係る投写装置４０Ａの測定結果と、図４に示す遮音板９５Ａを設けない従来のる投写装置１０の測定結果とを比較すると、遮音板９５Ａを設けることにより、吸気ファン５９〜６１で発生する騒音値が大きく低減していることがわかる（４０．０ｄＢ→３８．６ｄＢ）。これに伴い、外部漏洩騒音値も、４６．１ｄＢから４４．７ｄＢに大きく低減しており、よって遮音板９５Ａを設けることにより外部漏洩騒音を低減でき、静かな投写装置４０Ａを実現することができることが立証された。
【００７６】
　ところで、上記のように外部漏洩騒音を低減するためには、遮音板９５Ａの配設領域は図５に符合Ｂで示す範囲に設ければ、十分に騒音低減効果を得ることができる。これに対し、本実施例では遮音板９５Ａを外部ケース４２の全幅と略等しい長さとしている。
【００７７】
　更に、図６に示すように、遮音板９５Ａの形状は湾曲形状とされており、内部ケース４１の各排気口６３〜６５から排気された冷却風が、空間部５８に配設された電源ユニット７２及びランプ安定器７３にも導かれる構成とされている（図６に実線の矢印で示される冷却風の流れを参照）。
【００７８】
　このように、遮音板９５Ａを長く配設すると共にその形状を適宜選定することにより、遮音板９５Ａに冷却風の流れを案内する導風板としての機能を持たせることができる。よって、吸気ファン５９〜６１で生成された冷却風は、液晶パネルユニット５４〜５６の冷却を行うと共に、電源ユニット７２及びランプ安定器７３等の区迂遠部５８内に配設される他の機器・装置・基板の冷却処理も行うため、効率のよい冷却処理を行うことができる。
【００７９】
　続いて、本発明の第２実施例である投写装置４０Ｂについて説明する。
【００８０】
　図１３及び図１４は、第２実施例である投写装置４０Ｂを示している。尚、図１３及び図１４において、先に説明した図５乃至図７に示した構成と同一構成については同一符合を付してのその説明を省略する。
【００８１】
　第１実施例である投写装置４０Ａは、排気ファン６２Ａ及び外部排気口６６Ａが外部ケース４２の側面に配設された構成とされていた。これに対し、本実施例に係る投写装置４０Ｂは、排気ファン６２Ｂ及び外部排気口６６Ｂを外部ケース４２の外部天板６６Ｂに配設したことを特徴としている。
【００８２】
　通常投写装置を使用する場合は、その側部には使用者が居り、よって外部ケース４２の側面に排気ファン６２Ａ及び外部排気口６６Ａが存在する投写装置４０Ａでは、使用態様によっては冷却風及び外部漏洩騒音が使用者に向け排出されることとなり望ましくない。
【００８３】
　しかるに、本実施例のように排気ファン６２Ｂ及び外部排気口６６Ｂを外部ケース４２の外部天板６６Ｂに配設することにより、冷却風及び外部漏洩騒音が使用者に向け排出されることはなくなり、使用性の向上を図ることができる。
【００８４】
　また、本実施例においても、各排気口６３〜６５から外部排気口６６Ｂに直接向かう騒音の伝達経路途中に、即ち各排気口６３〜６５と外部排気口６６Ｂとを結ぶ経路上（この経路を、図１３及び図１４に二点鎖線で示す）に、遮音部材となる遮音板９５Ｂ（梨地で示す）を配設した構成としている。具体的には、各排気口６３〜６５と外部排気口６６Ｂとを結ぶ直線上に、遮音板９５Ｂを配設している。
【００８５】
　よって、本実施例によっても、排気口６３〜６５から直接外部排気口６６Ｂに向かう騒音は遮音板９５Ａで反射され、直接外部排気口６６Ｂに進行することはなくなるため外部漏洩騒音を低減することができ、静かな投写装置４０Ｂを実現することができる。
【００８６】
　図１５は、本実施例のように排気ファン６２Ｂ及び外部排気口６６Ｂを外部ケース４２の外部天板６６Ｂに配設するが、遮音板９５Ｂは設けない構成の投写装置において発生する騒音値を示す図である。また、図１６は、本実施例に係る投写装置４０Ｂにおいて発生する騒音値を示す図である。尚、図１５及び図１６における測定項目及び測定方法は、先に図４に示したものと同一である。
【００８７】
　図１５と図１６を比較すると、本実施例に係る投写装置４０Ｂのように遮音板９５Ｂを設けた構成の投写装置４０Ｂの方が、３個の吸気ファン５９〜６１のみを駆動した時に発生する騒音値が４０．６ｄＢから３９．０ｄＢに低減していることがわかる。これに伴い、騒音値を外部漏洩騒音値も４６．７ｄＢから４４．５ｄＢに大きく低減していることがわかる。よって、本実施例の構成によっても外部漏洩騒音を低減でき、静かな投写装置４０Ａを実現することができることが立証された。
【００８８】
　尚、本実施例においては、遮音板９５Ｂは各排気口６３〜６５から外部排気口６６Ｂに直接向かう騒音の伝達経路途中のみに配設された構成とされている。また、遮音板９５Ｂの下端部７９Ｂは内部ケース１１に接合されるが、上端部９８Ｂは外部ケース４２から離間した構成とされている。このように、遮音板９５Ｂの配設位置及び形状は、上記の条件（遮音板９５Ｂは各排気口６３〜６５から外部排気口６６Ｂに直接向かう騒音の伝達経路途中のみに配設するという条件）を満たしていれば、冷却風の流路の設定により任意に設定することができる。
【００８９】
　また、上記した各実施例では、遮音板９５Ａ，９５Ｂは各排気口６３〜６５からの騒音を反射する構成としたが、例えば遮音板９５Ａ，９５Ｂに吸音布等を配設することにより、騒音を吸収する構成としてもよい。
【図面の簡単な説明】
【００９０】
【図１】従来の一例である投写装置の全体構成を示す断面図である。
【図２】従来の一例である投写装置の吸気ファン近傍を拡大して示す断面図である（その１）。
【図３】従来の一例である投写装置の吸気ファン近傍を拡大して示す断面図である（その２）。
【図４】従来の一例である投写装置で発生する騒音値を示す図である。
【図５】本発明の第１実施例である投写装置の全体構成を示す横断面図である。
【図６】本発明の第１実施例である投写装置の全体構成を示す縦断面図である。
【図７】本発明の第１実施例である投写装置の外観図である。
【図８】本発明の第１実施例である投写装置に配設された防塵機構を説明するための図である（その１）。
【図９】本発明の第１実施例である投写装置に配設された防塵機構を説明するための図である（その２）。
【図１０】従来の一例である防塵機構を説明するための図である（その１）。
【図１１】従来の一例である防塵機構を説明するための図である（その２）。
【図１２】本発明の第１実施例である投写装置で発生する騒音値を示す図である。
【図１３】本発明の第２実施例である投写装置の全体構成を示す横断面図である。
【図１４】本発明の第２実施例である投写装置の全体構成を示す縦断面図である。
【図１５】従来の一例である投写装置で発生する騒音値を示す図である。
【図１６】本発明の第２実施例である投写装置で発生する騒音値を示す図である。
【符号の説明】
【００９１】
　４０Ａ，４０Ｂ　投写装置
　４１　内部ケース
　４２　外部ケース
　４３　光源
　５１〜５３　集光レンズ
　５４〜５６　液晶パネルユニット
　５７　投写レンズ
　５８　空間部
　５９〜６１　吸気ファン
　６２Ａ，６２Ｂ　排気ファン
　６３〜６５　排気口
　６６Ａ，６６Ｂ　外部排気口
　６７　防塵機構
　６８，６９　偏光板
　７０　液晶パネル
　７１　内部天板部
　７２　電源ユニット
　７３　ランプ安定器
　７４〜７６　内部冷却ファン
　７８　長孔
　８０〜８０Ｄ　防塵用板状部材
　８１　装着孔
　８２　可撓部
　８３　ガイド部材
　８５　補強部
　８６　弾性部材
　９５Ａ，９５Ｂ　遮音板
　９６　補助遮音板
　９７Ａ，９７Ｂ　下端部
　９８Ａ，９８Ｂ　上端部
　９９　外部天板部
【図１】
2004139110.tif 000003
【図２】
2004139110.tif 000004
【図３】
2004139110.tif 000005
【図４】
2004139110.tif 000006
【図５】
2004139110.tif 000007
【図６】
2004139110.tif 000008
【図７】
2004139110.tif 000009
【図８】
2004139110.tif 000010
【図９】
2004139110.tif 000011
【図１０】
2004139110.tif 000012
【図１１】
2004139110.tif 000013
【図１２】
2004139110.tif 000014
【図１３】
2004139110.tif 000015
【図１４】
2004139110.tif 000016
【図１５】
2004139110.tif 000017
【図１６】
2004139110.tif 000018